(57)【特許請求の範囲】
【請求項１】
ケース内に、発光素子と、該発光素子近傍に配置されて前記ケースの外部からの光を検出する光検出素子と、前記発光素子と前記光検出素子との間に介在し、特定の波長帯域成分を遮断する光学フィルタと、前記ケースに設けた窓部から、前記光学フィルタに対して前記発光素子側の空間に延びる導光部材とを備えたことを特徴とする携帯端末。
【請求項２】
前記光学フィルタは、前記発光素子の出力光が当該光学フィルタを介さず前記導光部材に入光し且つ前記窓部から前記導光部材を通り前記発光素子側に入射する光が当該光学フィルタを介して前記光検出素子で受光されるよう、前記導光部材及び前記発光素子の側の空間と前記光検出素子側の空間に仕切る請求項１に記載の携帯端末。
【請求項３】
ケース内に収納される基板と、前記基板に取り付けられた発光素子と、前記基板に取り付けられて前記ケースの外部からの光を検出する光検出素子と、前記発光素子及び前記光検出素子を一体的に覆うように基板に接する中空状の遮光部材と、該遮光部材の内部を前記発光素子側の空間と前記光検出素子側の空間に仕切ると共に、特定の波長帯域成分を遮断する光学フィルタと、前記ケースに設けた窓部から前記遮光部材を貫通して前記発光素子側の空間へ延びる導光部材とを備えたことを特徴とする携帯端末。
【請求項４】
表示部及び／または操作部と、該表示部及び／または操作部を照明する照明用発光素子と、前記光検出素子で検出する受光量に応じて前記照明用発光素子を発光させる制御手段とを備えた請求項１〜３のいずれかに記載の携帯端末。
【請求項５】
前記光学フィルタは、赤外線を遮断するフィルタである請求項１〜３のいずれかに記載の携帯端末。
【発明の詳細な説明】
【０００１】
【発明の属する技術分野】
本発明は携帯端末に関するものである。
【０００２】
【従来の技術】
図５は特開平４−３４３５２９号公報に開示されている移動無線機の照明装置であり、この移動無線機の照明装置は、数字表示器１並びに番号キーや機能キーを有するキー操作部２のそれぞれに設けた照明手段３と、キー操作部２のキーの押し下げを検出するキー操作検出部４と、該キー操作検出部４によるキー操作の検出に応じて起動するタイマ５と、該タイマ５の作動時間中に照明手段への給電回路を閉じるスイッチ６と、タイマ５の作動時間中に周囲の光量を検出して電気信号に変換する受光素子７と、該受光素子７からの電気信号に基づき照明手段３へ給電を制御する電流制御回路８とを備えている。
【０００３】
この移動無線機の照明装置では、キー操作部２のキーを押し下げると、タイマ５の起動に伴って受光素子７により周囲の光量が検出され、当該光量に基づき、電流制御回路８が照明手段３への給電を制御し、照明手段３の輝度が周囲の明暗に応じて調整される。
【０００４】
また、周囲が明るく、照明手段３を点灯させる必要がない場合には、電流制御回路８によって照明手段３への給電が遮断され、これにより、移動無線機に内装されているバッテリ（図示せず）の消耗が抑制される。
【０００５】
【発明が解決しようとする課題】
図５に示す移動無線機の照明装置を、一般的な携帯端末である携帯電話機に適用しようとする場合、電話機のケースに内装した発光ダイオードやその光をケース外部へ導くための表示用の導光部材で構成される着信表示手段に加えて、受光素子７をケースに内装し且つ外部から受光素子７へ光を導くための受光用の導光部材をケースに設けることになる。
【０００６】
しかしながら、携帯電話機をはじめとする携帯端末は、近年、次第に小型化される傾向にあり、発光表示手段のほかに、受光素子７や受光用の導光部材を新たに携帯端末に組み込むと、ケースや部品配置の設計が複雑になってその製作が困難になることが懸念される。
【０００７】
本発明は上述した実情に鑑みてなしたもので、小型化に対応可能な携帯端末を提供することを目的としている。
【０００８】
【課題を解決するための手段】
上記目的を達成するため、本発明の携帯端末では、ケース内に、発光素子と、該発光素子近傍に配置されて前記ケースの外部からの光を検出する光検出素子と、前記発光素子と前記光検出素子との間に介在し、特定の波長帯域成分を遮断する光学フィルタと、前記ケースに設けた窓部から、前記光学フィルタに対して前記発光素子側の空間に延びる導光部材とを備えている。
【００１０】
本発明の携帯端末においては、発光素子の作動により発せられる表示光を、発光素子側の空間に連なる導光部材を介してケースの外方へ導く。
【００１１】
また、導光部材の外方から導光部材を経て発光素子側の空間へ導かれる外光を、光学フィルタにより特定の波長帯域成分を除去し、あるいは当該成分を透過させて、光検出素子側の空間へ導く。
【００１２】
【発明の実施の形態】
以下、本発明の実施の形態を、図示例とともに説明する。
【００１３】
図１乃至図４は本発明の携帯端末の実施の形態の一例であり、この携帯端末の要部である表示兼用光検知アッセンブリは、携帯電話機のフロントケース９に支持される基板１０の上端部分に取り付けた発光ダイオードなどの発光素子１１と、該発光素子１１の側方に位置するように基板１０に取り付けたホトダイオード、あるいはホトトランジスタなどの光検出素子１２と、これらの素子１１，１２を一体的に覆うように基板１０に接する中空状の遮光部材１３と、該遮光部材１３の内部を発光素子１１側の空間Ａと光検出素子１２側の空間Ｂとに仕切る赤外線除去用の板状のフィルタ１４と、遮光部材１３の外方から当該遮光部材１３を貫通して発光素子１１側の空間Ａへ延びる導光部材１５とを備えている。
【００１４】
フロントケース９には、液晶表示部及びキー操作部が、また、ケース内には、これらのバックライト用の発光ダイオードが設けられている。
【００１５】
携帯電話機の制御部は、その制御機能のひとつとして、光検出素子１２の出力である外部可視光の受光量に応じて、着信時及びキー操作時などに、液晶表示部のみを照明する、または液晶表示部及びキー操作部の双方を照明する、あるいはこれらに対する照明をしないなどのバックライト用の発光ダイオードの点灯制御を行なう。
【００１６】
上記の素子１１，１２は、その発光部分及び光検知部分が電話機前面側を向くように、基板１０に取り付けられている。
【００１７】
遮光部材１３は、電話機背面側が全面的に開口し且つ電話機頂部側に導光部材１５が挿入可能な孔１３ａを有する箱状部１３ｂと、該箱状部１３ｂの孔１３ａ至近部分から電話機頂部側へ延びる樋状部１３ｃとを、シリコーンゴムのような弾力性に富んだ高分子樹脂材料を用いて一体成形したものである。
【００１８】
樋状部１３ｃの形状は、フロントケース９内面の電話機頂部側に設けられ且つ導光部材１５が挿入されるホルダ９ａに、電話機背面側から嵌合するように設定されている。
【００１９】
フロントケース９には、その内面から電話機背面側へ突出して箱状部１３ｂの電話機底部側の面及び左右両側の面に当接する壁部９ｂと、ケース内面から電話機背面側へ突出して箱状部１３ｂの電話機頂部側の面及び樋状部１３ｃの左右の側面に当接する２つの柱部９ｃとが設けられており、高分子樹脂材料の弾力性で遮光部材１３が壁部９ｂと柱部９ｃに密着することによって、フロントケース９からの遮光部材１３の脱落防止が図られる。
【００２０】
これに加えて、フロントケース９へ基板１０を装着するときに、箱状部１３ｂの電話機背面側の開口縁部全周が、基板１０の素子１１，１２取付箇所の周囲に密着するように、遮光部材１３と基板１０の相対位置の設定が行われる。
【００２１】
フィルタ１４は、可視領域の光波（可視光Ｐ）を透過させ、また、赤外線領域の光波（赤外光Ｑ）の透過を阻止する光学的特性を有している。
【００２２】
このフィルタ１４の形状は、前記の箱状部１３ｂの内側面及び基板１０に各辺が接する四角形に設定されている。
【００２３】
導光部材１５は、電話機外部からフロントケース９のホルダ９ａ及び遮光部材１３の孔１３ａに挿入されており、この導光部材１５も、フロントケース９からの遮光部材１３の脱落防止に寄与している。
【００２４】
導光部材１５の構成素材には、携帯電話機外部からフロントケース９の内方へ向かう可視光Ｐ、並びに発光素子１１より発せられ且つ携帯電話機外部へ向かう表示光Ｒの透過性が確保されるように、乳白色のあるいは透明な高分子樹脂材料を用いている。
【００２５】
図１乃至図４に示す携帯端末では、着信時に発光素子１１が表示光Ｒを発すると、当該表示光Ｒは、遮光部材１３内部の発光素子１１側の空間Ａに連なり且つ所定部分がフロントケース９外部に露出した導光部材１５を経て携帯電話機の外方へ導かれ、これにより、電話機所有者が着信を認識し得る状態になる。
【００２６】
携帯電話機外方から導光部材１５を経て遮光部材１３内部の発光素子１１側の空間Ａに導かれる可視光Ｐ及び赤外光Ｑのうち、可視光Ｐだけがフィルタ１４を透過して遮光部材１３内部の光検出素子１２側の空間Ｂへ導かれ、これにより、可視光Ｐの光量に応じて光検出素子１２が、携帯電話機周囲の明暗を判定し得る状態になる。
【００２７】
従って、人間の視覚では周囲が充分に暗いと感じられるのにも関わらず、携帯電話機の近傍で点灯中の発熱電球などが発する赤外光Ｑを光検出素子１２が検知することが回避され、携帯電話機の数字表示部やキー操作部に付帯する照明手段が人間の視覚に応じて作動することになる。
【００２８】
また、先に述べたように、発光素子１１が発する表示光Ｒは、フィルタ１４の影響を受けずに導光部材１５に入射するので、該導光部材１５を経て携帯電話機の外方へ導かれる表示光Ｒの光量や色調が著しく変化することはない。
【００２９】
このように、図１乃至図４に示した携帯端末においては、発光素子１１と光検出素子１２とを同一の遮光部材１３に内装し、発光素子１１から遮光部材１３外部への表示光Ｒの導光、並びに遮光部材１３外部から光検出素子１２への可視光Ｐの導光に共通の導光部材１５を用いているので、フロントケース９や基板１０の設計の単純化が図られるとともにその製作も容易になり、よって、携帯電話機の小型化に対応することが可能になる。
【００３０】
また、上述した実施の形態では、光学フィルタとして板状のフィルタ１４を用いているが、これに限定されることなく、光検出素子１２の受光面に蒸着などの手段によって薄膜状のフィルタを形成し、光検出素子１２に光学フィルタの機能を具備させれば、更なる部品点数の削減、並びに省スペース化を図ることが可能になる。
【００３１】
なお、本発明の携帯端末は、上述した実施の形態のみに限定されるものではなく、携帯電話機以外の赤外線リモートコントローラなどの携帯端末に適用すること、その他、本発明の要旨を逸脱しない範囲において変更を加え得ることは勿論である。
【００３２】
【発明の効果】
以上述べたように、本発明の携帯端末によれば、下記のような種々の優れた効果を奏し得る。
【００３３】
（１）請求項１に記載する発明によれば、部品点数の削減、並びに省スペース化に効果がある。
すなわち、発光素子から外部への表示光の導光、並びに外部から光検知素子への外光の導光に共通の導光部材を用いて、ケースや部品配置の設計の単純化が図られるとともにその製作も容易になり、よって、携帯端末の小型化に対応することが可能になる。
また、光学フィルタによって特定の波長帯域成分を除去し、あるいは特定の波長帯域成分のみを透過させて光検出素子に受光させることができるので、目的別に光検出素子を備えた各種の携帯端末に利用可能である。
【００３４】
（２）請求項２に記載する発明によれば、発光素子より発せられる表示光が、光学フィルタの影響を受けずに導光部材に入射するので、該導光部材の外方へ導かれる表示光の光量や色調が著しく変化しない。
【００３５】
（３）請求項３に記載する発明によれば、部品点数の削減、並びに省スペース化に効果がある。
すなわち、発光素子と光検出素子とを同一の遮光部材に内装し、発光素子から遮光部材の外部への表示光の導光、並びに遮光素子の外部から光検知素子への外光の導光に共通の導光部材を用いて、ケースや部品配置の設計の単純化が図られるとともにその製作も容易になり、よって、携帯端末の小型化に対応することが可能になる。
更に、発光素子より発せられる表示光が、光学フィルタの影響を受けずに導光部材に入射するので、該導光部材の外方へ導かれる表示光の光量や色調が著しく変化しない。
また、光学フィルタによって特定の波長帯域成分を除去し、あるいは特定の波長帯域成分のみを透過させて光検出素子に受光させることができるので、目的別に光検出素子を備えた各種の携帯端末や電気製品に利用可能である。
【００３６】
（４）請求項４に記載する発明によれば、光検出素子の受光量に応じて、表示部や操作部が照明されるので、暗所において表示部の表示内容や操作部の位置を確認しやすくなり、また、操作部を見誤ることなく操作することができる。
【００３７】
（５）請求項５に記載する発明によれば、発光素子と光検出素子との間に介在させたフィルタによって、導光部材から光検出素子への赤外光の入射を阻止するので、人間の視覚に応じた光量検知を行なうことができる。
【図面の簡単な説明】
【図１】  本発明の携帯端末の実施の形態の一例の要部である表示兼用光検知アッセンブリを示す部分切断斜視図である。
【図２】図１に示す表示兼用光検知アッセンブリが組み込まれた携帯電話機のフロントケースを電話機背面側から見た部分図である。
【図３】図２のＩＩＩ-ＩＩＩ矢視図である。
【図４】図２のＩＶ−ＩＶ矢視図である。
【図５】特開平４−３４３５２９号公報に開示されている移動無線機の照明装置を示す概念図である。
【符号の説明】
９    フロントケース
１０  基板
１１  発光素子
１２  光検出素子
１３  遮光部材
１４  フィルタ
１５  導光部材
【図１】
0004746168.tif 000002
【図２】
0004746168.tif 000003
【図３】
0004746168.tif 000004
【図４】
0004746168.tif 000005
【図５】
0004746168.tif 000006